(57)【特許請求の範囲】
【請求項１】
表示素子を備えた電子機器であって、
前記表示素子が収容される収納部と、前記収納部近傍に配された第１の弾性片と、前記収納部近傍で前記第１の弾性片に対向した位置に配されるとともに凹部を備えた第２の弾性片とを備えた保持枠と、
前記表示素子の表示面を外部から目視可能なように形成された開口部と、前記第１の弾性片が挿入される係合孔と、前記第２の弾性片が保持される突起部とを備えた第１のカバーとを備え、
前記表示素子を保持した前記保持枠と前記第１のカバーとは、前記第１の弾性片が前記係合孔に挿入されて係合され、前記凹部と前記突起部とが嵌合されて、組み付けられていることを特徴とする電子機器。
【請求項２】
互いに係合されている前記係合孔と前記第１の弾性片とを覆う第３のカバーを、さらに備えた請求項１記載の電子機器。
【請求項３】
前記保持枠と前記第１のカバーとは導電性材料で構成され、前記係合孔と前記第１の弾性片とは電気的に接触している請求項１記載の電子機器。
【請求項４】
前記係合孔に、前記第１の弾性片を位置決めする突起部が形成されている請求項３記載の電子機器。
【請求項５】
前記第１のカバーに固定され、前記表示素子の裏面側を覆う第２のカバーをさらに備え、
前記保持枠と前記第１のカバーと前記第２のカバーは、ネジで共締めされている請求項１記載の電子機器。
【請求項６】
前記表示素子の表面側における表示有効エリアの周囲に配され、前記保持枠と前記第１のカバーとが組み付けられた時、前記表示素子と前記第１のカバーとに挟まれた位置に配されている弾性材を備え、
前記弾性材は、前記表示有効エリアと外気とを連通させる切り欠き部が形成されている請求項１記載の電子機器。
【請求項７】
前記弾性材は、少なくとも一部が前記表示素子の表面側から裏面側へ連続的に貼着されている請求項６記載の電子機器。
【請求項８】
前記表示素子の表面側における表示有効エリアの周囲に配され、前記保持枠と前記第１のカバーとが組み付けられた時、前記表示素子と前記第１のカバーとに挟まれた位置に配されている弾性材を備え、
前記弾性材は、通気性材料より構成されている、請求項１記載の電子機器。
【発明の詳細な説明】
【技術分野】
【０００１】
本発明は、液晶パネルなどの表示素子を搭載した電子機器に関する。
【背景技術】
【０００２】
特許文献１に開示されている表示装置は、特許文献１の図１及び図２に示すように、液晶パネル１０を、ケース１４内に両面テープ１３で固定して構成されている。このような表示装置の組み立て工程において、液晶パネル１０とケース１４との間に埃などの異物が混入してしまった場合は、両面テープ１３を剥離して液晶パネル１０をケース１４から離脱させ、異物を除去する必要がある。
【特許文献１】特開２００５−２５０１４５号公報
【発明の開示】
【発明が解決しようとする課題】
【０００３】
しかしながら特許文献１に開示されている構成では、液晶パネルをケースに対して脱着する作業が、非常に煩雑である。すなわち、液晶パネルは、ケースの内側に両面テープで固定されているため、両面テープを剥離しながら液晶パネルをケースから離脱する作業は、非常に煩雑であった。また、異物除去後、液晶パネルをケースに再固定する際、ケースに対する液晶パネル及び両面テープの位置決めを高精度に行う必要があり、非常に煩雑であった。
【０００４】
本発明は、上記課題に鑑み、液晶パネルなどの表示素子を、ケースに対して容易に脱着でき、組み立て工程を簡素化できる電子機器を提供することを目的とする。
【課題を解決するための手段】
【０００５】
上記課題を解決するために本発明の電子機器の第１の構成は、前記表示素子が収容される収納部と、前記収納部近傍に配された第１の弾性片と、前記収納部近傍で前記第１の弾性片に対向した位置に配されるとともに凹部を備えた第２の弾性片とを備えた保持枠と、前記表示素子の表示面を外部から目視可能なように形成された開口部と、前記第１の弾性片が挿入される係合孔と、前記第２の弾性片が保持される突起部とを備えた第１のカバーとを備え、前記表示素子を保持した前記保持枠と前記第１のカバーとは、前記第１の弾性片が前記係合孔に挿入されて係合され、前記凹部と前記突起部とが嵌合されて、組み付けられているものである。
【発明の効果】
【０００８】
本発明の電子機器によれば、液晶パネルなどの表示素子を、ケースに対して容易に脱着することができるため、簡単に組み立てることができる。
【発明を実施するための最良の形態】
【０００９】
（実施の形態１）
以下の説明では、本発明の電子機器の一例として、デジタルスチルカメラなどの撮像装置を挙げて説明する。
【００１０】
〔１．撮像装置の構成〕
図１は、撮像装置の外観構成を示す斜視図である。図２は、撮像装置の側面図であり、撮像装置において表示部が搭載されている面（以下、背面と記す）を示している。図３は、撮像装置の平面図であり、撮像装置においてレリーズボタンなどが配されている面（以下、上面と記す）を示している。
【００１１】
図１〜図３に示すように、撮像装置１は、撮像部２と、レリーズスイッチ３と、ズームスイッチ４と、電源スイッチ５と、ストロボ６と、表示部７と、カーソルキー８と、ボタン９と、ボタン１０と、モードダイヤル１１とを備えている。撮像部２とストロボ６は、前面（被写体側の面）に配されている。また、レリーズスイッチ３とズームスイッチ４と電源スイッチ５は、上面に配されている。また、表示部７とカーソルキー８とボタン９及び１０とモードダイヤル１１は、背面に配されている。
【００１２】
図１に示すように撮像部２は、フォーカスレンズやズームレンズなどから構成されるレンズ部や、レンズ部を通して入射される光学画像を撮像し電気信号（映像信号）を出力する撮像素子などが内蔵されている。
【００１３】
レリーズスイッチ３は、撮影者によって押圧操作されることで、撮像素子で撮像されている電気信号を映像信号として取り込むことができる。
【００１４】
ズームスイッチ４は、レリーズスイッチ３に対して略同軸に配され、レリーズスイッチ３の周方向に回転自在に配されている。ズームスイッチ４を回転操作することで、撮像部２内のズームレンズを光軸方向へ移動させ、撮像素子に結像される光学画像の拡大または縮小を行うことができる。なお、ズーム動作は、ズームレンズを移動させる光学ズームに限らず、映像信号を信号処理で拡大または縮小する電子ズームも存在する。
【００１５】
電源スイッチ５は、スライドスイッチで構成され、一方向へスライドさせると電源ＯＮ、他方向へスライドさせると電源ＯＦＦになるように操作することができる。
【００１６】
ストロボ６は、レリーズスイッチ３の動作と同時に閃光を発光することができる。ストロボ６の発光は、撮像装置１内における任意の設定によって、発光／非発光を切り換えることができる。
【００１７】
図２に示すように、表示部７（表示素子）は、撮像中の画像（所謂スルー画像）、メニュー画面、電池残量や現在日時や撮影可能枚数などの各種情報などを表示することができる。本実施の形態では、表示部７は、液晶パネルで構成したが、有機ＥＬ素子やその他の表示素子で構成してもよい。なお、撮像装置１に対する表示部７の固定方法については、後ほど詳しく説明する。また、表示部７と撮像部２は、撮像装置１において互いに対向した側面に配されている。
【００１８】
カーソルキー８は、上下左右方向に指示操作が可能であり、上・下・左・右の各操作部には、所定の機能が割り当ててある。割り当てられている機能は、例えば、ストロボ６の発光／非発光の切り替え、セルフタイマー機能のＯＮ／ＯＦＦ切り替え、ブラケット撮影の設定などである。また、表示部７にメニュー画面を表示させた時に、メニュー内に表示されているカーソルを所望の方向へ移動させるよう操作することもできる。
【００１９】
ボタン９は、カーソルキー８の中央に配置され、操作することで主に「決定」操作を行うことができる。
【００２０】
ボタン１０は、例えば表示部７に表示される前記各種情報の表示／非表示を切り替えることができたり、その他様々な機能を割り当てることができる。なお、本実施の形態では、ボタン１０は２個としているが、この個数に限定されない。
【００２１】
モードダイヤル１１は、撮像装置１の上面近傍に回転操作可能に配され、撮像装置１のモードを設定することができる。設定できるモードは、静止画を撮影可能な通常撮影モード、動きが速い被写体の撮影に適した高速撮影モード、被写体を近接撮影するのに適した接写モード、情報媒体に記録されている画像を表示部７に表示可能な再生モードなどである。
【００２２】
また、撮像装置１は、主に上面カバー４１（第３のカバー）と、前面カバー４２（第２のカバー）と、背面カバー４３（第１のカバー）と、側面カバー４４とでケーシングされている。なお、一対の側面カバー４４のうち一方は、撮像装置１の側面とともに底面の一部を覆うような形状に形成されている。また、撮像装置１の底面には、バッテリー収納部を閉蓋するバッテリードア（不図示）が配されている。よって、撮像装置１の底面は、側面カバー４４の一部とバッテリードアとで覆われている。各カバーの組み立ての概要は、カメラユニット２５と電気回路ユニット２６とが結合されたユニットに対して、その上面に上面カバー４１を装着し、前面（対物レンズが配されている面）に前面カバー４２を装着し、背面（前面に対向する面）に背面カバー４３を装着し、左右両側面に側面カバー４４を装着する。組み立ての際、上面カバー４１と前面カバー４２と側面カバー４４とは、ネジ４５によって共締めされて固定される。
【００２３】
〔２．撮像装置１の内部構造〕
〔２−１．全体構成〕
図４は、撮像装置１の概略構造を示す分解斜視図である。なお、図４に示す各部品やユニットは、説明の便宜上、詳細に描画しておらず模式的に示している。
【００２４】
図４において、背面ユニット２１は、撮像装置１の背面を覆っており、カーソルキー８やボタン９及び１０などが配されている。また、背面ユニット２１の主面には、透明板２１ｄによって閉口されている開口部２１ａが形成されている。開口部２１ａは、表示部７（または表示ユニット２２）の有効表示エリアとほぼ同等の面積を有している。
【００２５】
表示ユニット２２は、例えば液晶表示パネルで構成され、主面に表示エリア２２ａを備えている。また、表示パネルの外周縁には、ある程度の肉厚を有する弾性材２２ｂが固定されている。弾性材２２ｂは、表示ユニット２２の外周縁の全周に配されているわけではなく、一部に切り欠き部２２ｃを備えている。
【００２６】
保持枠２３は、例えば板金で構成され、少なくとも表示ユニット２２を内部に配置可能な収納部２３ａを備えている。
【００２７】
前面ユニット２４（第２のカバー）は、カメラユニット２５における対物レンズ側の面を覆うように、カメラユニット２５及び電気回路ユニット２６に装着される。カメラユニット２５は、主に前述した撮像部２を内蔵している。電気回路ユニット２６は、内部にバッテリーを着脱可能であるとともに、電源回路を備えている。また、電気回路ユニット２６の上面には、スイッチ２７が配されている。スイッチ２７は、カーソルキー８、ボタン９及び１０が使用者によって押圧操作されることにより、カーソルキー８、ボタン９及び１０の裏面によって押圧操作されるものである。すなわち、使用者がカーソルキー８、ボタン９及び１０を操作することで、各キーなどがスイッチ２７を押圧し、内部回路が駆動するような構造になっている。
【００２８】
撮像装置１は、保持枠２３に保持された表示ユニット２２を、背面ユニット２１と前面ユニット２４とから構成されるケース内に収容される。収容後、表示ユニット２２の表示エリア２２ａは、背面ユニット２１の開口部２１ａと重なるように配置され、表示エリア２２ａに表示される映像や情報を、外部から目視することができる。
【００２９】
次に、図４に示す各ユニットの詳細な構成について説明する。
【００３０】
〔２−２．表示ユニット２２の構成〕
図５Ａは、表示ユニット２２の構成を示す平面図である。図５Ｂは、図５ＡにおけるＺ−Ｚ部分の断面図である。
【００３１】
図５Ａ及び図５Ｂに示すように、表示パネル２２ｄの主面の略中央には、映像や各種情報を表示可能な表示エリア２２ａが配されている。表示パネル２２ｄの外周縁には、映像などが表示できない非表示エリアが存在している。その非表示エリアには、弾性材２２ｂが配されている。弾性材２２ｂは、ある程度の肉厚を有し、弾性変形する材質で構成されている。
【００３２】
弾性材２２ｂは、表示ユニット２２が撮像装置１内に組み付けられた際に、表示パネル２２ｄと背面ユニット２１の内側とで挟持され圧縮される。これにより、表示エリア２２ａに埃などの異物が侵入するのを低減させている。また、弾性材２２ｂは、両面テープや接着剤などで表示パネル２２ｄに貼着されている。
【００３３】
また、弾性材２２ｂは、表示パネル２２ｄの外周に連続的に配されているものではなく、一部に切り欠き部２２ｃが形成されている。切り欠き部２２ｃを設けることにより、表示ユニット２２と背面ユニット２１との間の空間と外気とを連通させることができる。
【００３４】
すなわち、弾性材２２ｂを表示エリア２２ａの全外周に連続的に貼着すると、背面ユニット２１と表示ユニット２２とを組み付けた際に、透明板２１ｄと表示エリア２２ａと弾性材２２ｂとによって囲まれた空間が密閉状態になる。当該空間を密閉状態にすると、撮像装置の使用環境における気圧変化によって、外気との気圧差が生じ、透明板２１ｄや表示パネル２２ｄが変形する可能性がある。本実施の形態は、切り欠き部２２ｃを設けることにより、使用環境における気圧変化が生じても、外気との気圧差が発生せず、透明板２１ｄや表示パネル２２ｄの変形を防止することができる。
【００３５】
また、表示パネル２２ｄの側端部には、他の電気回路と電気的に接続されるフレキシブル基板２２ｅが配されている。
【００３６】
また、表示パネル２２ｄの上下面には、それぞれ３カ所ずつダボ２２ｆが配されている。また、表示パネル２２ｄの側面にもダボ２２ｆが配されている。ダボ２２ｆは、後述する保持枠２３の孔部２３ｈに嵌合されることによって、表示ユニット２２を保持枠２３に保持させることができる。
【００３７】
〔２−３．保持枠２３の構成〕
図６は、保持枠２３の構成を示す斜視図である。図７Ａは、保持枠２３の上面側の要部斜視図である。図７Ｂは、図７ＡにおけるＹ−Ｙ部分の要部断面図である。図８は、保持枠２３における底面側の要部斜視図である。
【００３８】
図６において、収納部２３ａは、底部を有するとともに、底部の外縁の４方向を縦壁で包囲され、表示ユニット２２（図４参照）が収容可能な空間を備えている。縦壁は、収納部２３ａに収容される表示ユニット２２の上面に対向する上部壁２３ｘと、上部壁２３ｘに対向し表示ユニット２２の底面に対向する下部壁２３ｙと、表示ユニット２２の両側面に対向する一対の側部壁２３ｚとから構成されている。
【００３９】
上部壁２３ｘには、２個の位置決め片２３ｂ（第１の弾性片）と、開口部２３ｇと、３カ所の係合孔２３ｈとが形成されている。下部壁２３ｙには、弾性片２３ｃ（第２の弾性片）及び２３ｄと、３カ所の係合孔２３ｈとが形成されている。側部壁２３ｚには、開口部２３ｆと、押圧部２３ｅと、係合孔２３ｈとが形成されている。
【００４０】
押圧部２３ｅは、保持枠２３を背面ユニット２１に保持させた際に、背面ユニット２１に配されている操作部（詳しくは後述）の一部を押圧し、操作部を背面ユニット２１に保持させている。
【００４１】
開口部２３ｆは、表示ユニット２２に配されているフレキシブル基板２２ｅ（図５参照）を、保持枠２３内から引き出して配するためのものである。
【００４２】
位置決め片２３ｂは、保持枠２３が背面ユニット２１（図４参照）に設けられた係合孔２１ｂに挿入されて保持されている。
【００４３】
係合孔２３ｈは、上部壁２３ｘにおいて所定の間隔をあけて３個配され、表示ユニット２２に配されているダボ２２ｆのうち、表示ユニット２２の上部側に配されているダボ２２ｆと係合する。係合孔２３ｈとダボ２２ｆとが係合することで、表示ユニット２２を保持枠２３へ保持させることができる。
【００４４】
また、位置決め片２３ｂには、それぞれ突起２３ｑが形成されている。突起２３ｑは、保持枠２３を背面ユニット２１に保持させる際に、背面ユニット２１の内面に当接し、保持枠２３を背面ユニット２１に対して仮固定および位置決めしている。本実施の形態では、突起２３ｑは、プレス成形によって形成されているが、他の工法にて形成してもよい。また、突起２３ｑの形状は、半球体で構成しているが、円錐など他の形状で構成してもよい。
【００４５】
図８に示すように、弾性片２３ｃには、突起２３ｋと孔部２３ｍと凹部２３ｎとが形成されている。また、弾性片２３ｄには、突起２３ｋと凹部２３ｐとが形成されている。
【００４６】
突起２３ｋは、保持枠２３を背面ユニット２１に保持させる際に、背面ユニット２１の内面に当接し、保持枠２３を背面ユニット２１に対して仮固定および位置決めしている。本実施の形態では、突起２３ｋは、プレス成形によって形成されているが、他の工法にて形成してもよい。また、突起２３ｋの形状は、半球体で構成しているが、円錐など他の形状で構成してもよい。
【００４７】
孔部２３ｍは、保持枠２３を背面ユニット２１にネジで固定する際に、ネジが挿通される孔である。
【００４８】
凹部２３ｎ及び２３ｐは、それぞれ背面ユニット２１の内側に設けられた突起が嵌合し、保持枠２３を背面ユニット２１に対して位置決めしている。
【００４９】
〔２−４．背面ユニット２１の構成〕
図９Ａは、背面ユニット２１の平面図であり、内側の構造を示している。図９Ｂは、図９ＡにおけるＸ−Ｘ部分の断面図である。図９Ｃは、図９Ａにおける矢印Ｂ方向から見た平面図であり、撮像装置１の上面側から見た図である。図９Ｄは、図９Ａにおける矢印Ｃ方向から見た平面図であり、撮像装置１の底面側から見た図である。
【００５０】
図９Ａにおいて、背面ユニット２１は、内面に表示ユニット２２などを配置可能な凹部が形成されている。その凹部の底面には開口部２１ａが形成されている。また、開口部２１ａの周囲には、表示ユニット２２が凹部内に収納された際に、弾性材２２ｂが当接する当接面２１ｅが配されている。また、凹部の周囲は、上部壁２１ｘと、下部壁２１ｙと、一対の側部壁２１ｚに囲まれている。また、開口部２１ａを外側から覆うように透明板２１ｄ（図９Ｂ参照）が固定されている。透明板２１ｄは、アクリル板などで構成され、表示ユニット２２の表示エリア２２ａを傷や衝撃などから保護するために配されている。
【００５１】
また、凹部の横には、カーソルキー８及びボタン９を背面ユニット２１の表面側へ露出して配置させるための開口部２１ｐと、ボタン１０を背面ユニット２１の表面側へ露出して配置させるための開口部２１ｑとが形成されている。
【００５２】
また、開口部２１ｐの周囲には、カーソルキー８を位置決めするためのピン２１ｓ及び２１ｔが配されている。
【００５３】
図９Ｂ及び図９Ｃに示すように、上部壁２１ｘには、２個の係合孔２１ｂが形成されている。それぞれの係合孔２１ｂには、保持枠２３の位置決め片２３ｂが係合される。また、係合孔２１ｂの内部には、突起２１ｆが形成されている。突起２１ｆは、位置決め片２３ｂが係合孔２１ｂに係合された際に、位置決め片２３ｂの表面に当接して、位置決めを行っている。これにより、保持枠２３の上部を、背面ユニット２１の上部に対して位置決めすることができる。
【００５４】
図９Ａ及び図９Ｄに示すように、下部壁２１ｙには、リブ２１ｇ及び２１ｈが形成されている。リブ２１ｇには、突起２１ｃと、孔部２１ｍ及び２１ｎが形成されている。また、リブ２１ｈには、突起２１ｋが形成されている。
【００５５】
突起２１ｃは、保持枠２３の弾性片２３ｃに形成されている凹部２３ｎに嵌合可能に構成されている。突起２１ｋは、弾性片２３ｄに形成されている凹部２３ｐに嵌合可能に構成されている。突起２１ｃが凹部２３ｎに嵌合され、突起２１ｋが凹部２３ｐに嵌合されることで、保持枠２３の下部を背面ユニット２１に対して位置決めすることができる。
【００５６】
孔部２１ｍは、背面ユニット２１がネジで固定される際に、ネジが挿通される孔である。
【００５７】
〔２−５．操作部の構成〕
図１０Ａ及び図１０Ｂは、カーソルキー８の構成を示す平面図である。図１１は、ボタン９の構成を示す平面図である。なお、図１０Ａ及び図１１は、表面側（操作面側）から見た図である。また、図１０Ｂは、裏面側（撮像装置側）から見た図である。
【００５８】
図１０Ａ及び図１０Ｂに示すように、カーソルキー８（第１の操作ユニット）は、操作部８ａ（第１の操作部）と、支持部８ｂ及び８ｈと、開口部８ｃ，８ｄ及び８ｆと、フレーム８ｍ及び８ｎ（第１のフレーム）と、ボタン１０とが、一体化されている。また、カーソルキー８は、ＡＢＳ樹脂などから構成される基材に、表面がメッキ処理されて構成されている。メッキ処理は、基材の装飾や防食のために、カーソルキー８の表面の少なくとも一部に施工されている。
【００５９】
操作部８ａは、背面ユニット２１の開口部２１ｐを介して外部に露出される部位であり、その表面（押圧部）には所定の機能を意味する文字やマークが表記されている。本実施の形態では、上下左右の方向を意味する三角形のマークを表記したが、具体的な機能を意味する文字やマーク（セルフタイマーのマークなど）を表記してもよい。また、撮像装置に内蔵されたカーソルキー８は、操作部８ａの下部に、スイッチ２７（図４参照）が配され、使用者によって操作部８ａが操作された際、操作部８ａの裏面によってスイッチ２７が押圧操作される。
【００６０】
ピン８ｘ及び８ｙは、図１０Ｂに示すようにカーソルキー８の裏面に立設されている。また、ピン８ｘ及び８ｙは、ボタン９の長孔９ｂ及び９ｃが係合されている。また、係合孔８ｖ及び８ｗは、ボタン９の突起９ｖ及び９ｗに係合されている。これにより、ボタン９をカーソルキー８に保持させることができる。
【００６１】
開口部８ｃ及び８ｆは、それぞれ操作部８ａを挟んで対向した位置に形成され、背面ユニット２１に形成されているピン２１ｓ及び２１ｔに係合され、位置が決まる。
【００６２】
開口部８ｄは、ボタン９を外部に露出させるためのものであり、少なくともボタン９の操作部９ａを使用者の指で操作可能な大きさを有している。
【００６３】
フレーム８ｍ及び８ｎは、操作部８ａにおける相対する位置に配され、それぞれ相対する方向へ延設されている。フレーム８ｍには、支持部８ｂ及び開口部８ｆが一体的に配されている。フレーム８ｎには、開口部８ｃやボタン１０などが一体的に配されている。
【００６４】
本実施の形態では、カーソルキー８は、基材のほぼ全ての表面がメッキ処理されているが、フレーム８ｍ及び８ｎの裏面側にメッキ処理を施していない部分が形成されている。図１０Ｂにおいて、領域ハッチングを付している部分は、メッキ処理されておらず、基材が露出している部分である。メッキ処理が施されていない部分は、メッキ処理が施されている部分に比べて、メッキ皮膜が無いため剛性が低い。このように、カーソルキー８を押圧操作した時に弾性変形するフレーム８ｍ及び８ｎに、メッキ処理されていない部分を形成することで、フレーム８ｍ及び８ｎの剛性が低くなるため弾性変形しやすくなり、カーソルキー８の操作性を向上させることができる。また、上記のようにメッキ処理を省略して弾性変形しやすくしたことで、操作性を確保しながらフレーム８ｍ及び８ｎの全長を短く形成することができる。フレーム８ｍ及び８ｎを短く形成することで、カーソルキー８を小型化することができるとともに、撮像装置を小型化することができる。
【００６５】
また、フレーム８ｍ及び８ｎは、操作部８ａにおいて使用者によって操作されるべき部位（例えば図１０Ａにおける三角形マーク）の径方向には配されない。すなわち、フレーム８ｍ及び８ｎは、図１０Ａに示す４個の三角形マークのうち、対向する２個の三角形マークを通る直線に重ならない位置に配されていればよい。本実施の形態では、フレーム８ｍは、操作部８ａにおける上方向に操作可能な部位と、右方向に操作可能な部位との間に配されている。また、フレーム８ｎは、操作部８ａにおける左方向に操作可能な部位と、下方向に操作可能な部位との間に配されている。すなわち、操作部８ａは、使用者によって押圧操作された際、主にフレーム８ｍ及び８ｎを軸に変位するので、フレーム８ｍと８ｎとを結ぶ線が操作部８ａの変位軸である。
【００６６】
ピン８ｐは、操作部８ａの裏面において、上下左右の４カ所に立設されている。また、ピン８ｐは、スイッチ２７（図４参照）を構成している複数のボタンのそれぞれに対向した位置に形成されている。したがって、操作部８ａを押圧操作すると、押された部分の裏面に形成されているピン８ｐが、スイッチ２７のうち少なくとも一つのボタンを押圧する。なお、ピン８ｐを形成しなかった場合であっても、操作部８ａの裏面でスイッチ２７を押圧することが可能であるため、ピン８ｐは必須ではない。
【００６７】
上記構成を備えたカーソルキー８は、開口部８ｃ及び８ｆに、背面ユニット２１に形成されているピン２１ｓ及び２１ｔが位置決めされることにより、背面ユニット２１の裏面に位置決めされる。この時、フレーム８ｍ及びリブ８ｇの面は、背面ユニット２１の裏面に当接し、未使用状態におけるカーソルキー８を略水平に保持している。また、操作部８ａは開口部２１ｐを介して外部に露出され、ボタン１０は、開口部２１ｑを介して外部に露出されている。
【００６８】
次に、図１１に示すように、ボタン９（第２の操作ユニット）は、操作部９ａ（第２の操作部）と、長孔９ｂ及び９ｃと、フレーム９ｄ及び９ｅ（第２のフレーム）とを備えている。
【００６９】
操作部９ａは、上下方向へストロークが可能で、使用者によって上面が押圧操作されることで、操作部９ａの下部に配されているスイッチ２７（図４参照）を操作することができる。
【００７０】
フレーム９ｄ及び９ｅは、操作部９ａにおける相対する位置に配され、それぞれ相対する方向へ延設されている。すなわち、操作部９ａは、使用者によって押圧操作された際、主にフレーム９ｄ及び９ｅに支持されて変位する。なお、操作部９ａにおける、フレーム９ｄ及び９ｅが配される位置は、図１５に示すようにカーソルキー８とボタン９とを背面ユニット２１に組み付けた状態で、操作部８ａの変位軸とフレーム９ｄ及び９ｅを結ぶ線分とが略直交するような位置である。すなわち、図１５に示すようにカーソルキー８とボタン９とが組み付けられた状態で、フレーム８ｍ，８ｎ，９ｄ，９ｅは、ボタン９の中心軸を中心としたほぼ回転方向１８０°の点対称となる位置に配されている。
【００７１】
長孔９ｂ及び９ｃは、フレーム９ｄ及び９ｅの先端近傍に形成されている。長孔９ｂ及び９ｃは、カーソルキー８に形成されているピン８ｘ及び８ｙが係合されることで、ボタン９がカーソルキー８に保持（仮固定）される。ボタン９は、カーソルキー８に保持されている時、操作部９ａは開口部８ｄ内に配置され、その操作面が外部に露出する。なお、長孔９ｂ及び９ｃとピン８ｘ及び８ｙとの結合方法は、本実施の形態のように両者を係合させる方法の他、長孔及びピンの両方あるいは一方を加熱して両者を溶着させる方法、接着剤などにより両者を接着させる方法などがある。
【００７２】
カーソルキー８とボタン９とを結合させる際は、まず、開口部８ｄを介して操作部９ａが露出するように、カーソルキー８の裏面にボタン９を配置する。次に、係合孔８ｖと突起９ｖとを係合させ、係合孔８ｗと突起９ｗを係合させる。次に、ピン８ｘを長孔９ｂに係合させ、ピン８ｙを長孔９ｃに係合させる。これにより、操作部のユニットが完成する。
【００７３】
上記構成において、使用者によって、カーソルキー８の操作部８ａが押圧操作されると、フレーム８ｍ及び８ｎに対してねじれ方向に変位する。そして、操作部８ａの裏面に形成されているピン８ｐによって、カーソルキー８の下部に配置されているスイッチ２７（図４参照）が押圧される。
【００７４】
また、ボタン９の操作部９ａが押圧操作されると、ボタン９はその押圧方向へ変位し、操作部９ａの裏面によってスイッチ２７（図４参照）が押圧される。
【００７５】
ここで、カーソルキー８とボタン９は、操作部８ａの変位軸と操作部９ａの変位軸とが互いに略直交するように配されているとともに、操作部８ａの三角形マークとは重ならないように配されているため、操作部８ａを上下左右のいずれの方向へ操作しても、操作部９ａは変位せず誤操作は生じない。また、操作部９ａを押圧操作しても、操作部８ａは変位せず誤操作は生じない。
【００７６】
また、２個のボタン１０は、それぞれ独立してフレーム８ｎに一体的に配されているため、それぞれ独立して操作することができる。
【００７７】
〔３．撮像装置の組み立て方法〕
本実施の形態の撮像装置は、図４に示すように組み立てられる。まず、表示ユニット２２を矢印Ｂに示すように、保持枠２３内に装着する。次に、矢印Ａに示すように、背面ユニット２１を保持枠２３に装着する。次に、矢印Ｃに示すように、表示ユニット２２及び保持枠２３が装着された背面ユニット２１を、前面ユニット２４に装着する。これにより、撮像装置１が完成する。以下、各ユニットの組み付け動作について、詳しく説明する。
【００７８】
〔３−１．表示ユニット２２と保持枠２３との装着方法〕
表示ユニット２２を保持枠２３に装着する際は、図５Ａに示すように表示ユニット２２に形成されているダボ２２ｆを、図６に示す保持枠２３に形成されている係合孔２３ｈに係合させて、表示ユニット２２を収納部２３ａに収納させる。
【００７９】
この時、表示ユニット２２に配されているフレキシブル基板２２ｅが、開口部２３ｆから保持枠２３外へ引き出すことが可能なように配置される。
【００８０】
〔３−２．背面ユニット２１と保持枠２３との装着方法〕
表示ユニット２２が装着された保持枠２３を、背面ユニット２１に装着する場合は、図１２〜図１４に示す手順にて装着する。図１２は図９ＡにおけるＸ−Ｘ’部の断面であり、図１３及び図１４は図９ＡにおけるＶ−Ｖ’部の断面である。
【００８１】
まず、図１２に示すように、保持枠２３を矢印Ｅ方向へ移動させて、保持枠２３の上部に形成されている位置決め片２３ｂを、背面ユニット２１に形成されている係合孔２１ｂに係合させる。この時、位置決め片２３ｂは、係合孔２１ｂの内部に形成されている突起２１ｆによって支持されて、係合孔２１ｂに保持される。
【００８２】
次に、図１３に示すように、保持枠２３を矢印Ｆ方向へ移動させて、保持枠２３の下部を背面ユニット２１内に収納する。この時、図８に示すように、弾性片２３ｃ及び２３ｄに形成されている突起２３ｋが、弾性片２３ｃを弾性変形させながら、それぞれ背面ユニット２１の内面に当接する。また、背面ユニット２１のリブ２１ｇに形成されている突起２１ｃが、保持枠２３に形成されている凹部２３ｎに係合される。また、リブ２１ｈに形成されている突起２１ｋが、凹部２３ｐに係合される。
【００８３】
これにより、図１４に示すように、保持枠２３を背面ユニット２１の内面に装着（仮固定）することができる。なお、図１５に、保持枠２３を背面ユニット２１の内面に装着（仮固定）した状態の斜視図を示す。
【００８４】
また、図１４に示す状態において、弾性片２３ｃは弾性変形を伴って突起２１ｃに係合しているため、保持枠２３を背面ユニット２１にガタツキを抑えて装着することができる。また、突起２１ｃと凹部２３ｎとが嵌合しているため、保持枠２３を背面ユニット２１に対して位置決めすることができる。
【００８５】
また、図１５に示すように、カーソルキー８とボタン９とを背面ユニット２１の裏面（内側）に装着する際は、カーソルキー８とボタン９とを互いに結合させたユニットを予め用意しておく。そして、そのユニットを背面ユニット２１の裏面に装着する。このように、カーソルキー８及びボタン９を予めユニット化しておくことで、組立作業性を向上させることができる。
【００８６】
また、図１５に示すように、保持枠２３を背面ユニット２１に装着した時、図６に示す押圧部２３ｅが、図１０Ａに示すカーソルキー８のリブ８ｇを押圧するため、カーソルキー８は背面ユニット２１に確実に保持させることができる。
【００８７】
〔３−３．背面ユニット２１と前面ユニット２４との装着方法〕
図１６に示すように、背面ユニット２１は矢印Ｇに示すように前面ユニット２４に装着させる。
【００８８】
次に、撮像装置の底面側からネジ４６（図１５参照）を締結させる。つまり、前面ユニット２４の底面には雌ネジ（不図示）が形成されており、この雌ネジにネジ４６を螺合させる。この時、図１５に示すように、ネジ４６は、背面ユニット２１及び保持枠２３の開口部を挿通して前面ユニット２４に螺合されるため、背面ユニット２１と保持枠２３とは前面ユニット２４に共締めされる。
【００８９】
次に、上面カバー４１及び側面カバー４４を装着し、ネジ４５で固定する。
【００９０】
この時、背面ユニット２１の上面に形成されている係合孔２１ｂや、係合孔２１ｂに係合している位置決め片２３ｂは、上面カバー４１によって覆われるため、外部から目視できない状態になる。
【００９１】
〔４．異物混入時の対応方法〕
上記のような撮像装置の製造工程において、表示ユニット２２と背面ユニット２１との間に埃などの異物が混入した場合、以下のように異物の除去を行う。
【００９２】
まず、背面ユニット２１を前面ユニット２４から取り外す。
【００９３】
次に、図１４において、保持枠２３の弾性片２３ｃ及び２３ｄを使用者の指や工具で、矢印Ｋ方向へ弾性変形させて、突起２１ｃ及び２１ｋ（図９Ｄ参照）と凹部２３ｎ及び２３ｐ（図８参照）との嵌合状態を解除する。
【００９４】
次に、図１３に示すように、保持枠２３を矢印Ｆの反対方向へ移動させ、保持枠２３の下部を背面ユニット２１から取り外す。
【００９５】
次に、図１２に示すように、保持枠２３を矢印Ｅの反対方向へ移動させ、位置決め片２３ｂ（図７Ａ参照）を係合孔２１ｂから離脱させる。これにより、保持枠２３を背面ユニット２１から、容易に取り外すことができる。
【００９６】
なお、上記離脱作業において、弾性片２３ｃにおける嵌合状態を解除して保持枠２３を離脱する構成としたが、弾性片２３ｄの嵌合状態を解除して保持枠２３を離脱する構成としてもよい。
【００９７】
そして、表示ユニット２２の表示エリア２２ａ、あるいは背面ユニット２１の透明板２１ｄに付着した異物を除去する。
【００９８】
再度、保持枠２３を背面ユニット２１に装着する際は、前述したように図１２〜図１４に示す手順にて、容易に装着することができる。
【００９９】
〔５．実施の形態の効果、他〕
本実施の形態によれば、位置決め片２３ｂを係合孔２１ｂに係合させて位置決めし、弾性片２３ｃ及び２３ｄをリブ２１ｇ及び２１ｈに弾性変形を伴って係合させることにより、保持枠２３を背面ユニット２１に保持させる構成であるため、保持枠２３を背面ユニット２１に対して容易に脱着させることができる。したがって、撮像装置の組み立て作業が容易になるとともに、異物混入時のリペア作業を容易に行うことができる。
【０１００】
また、背面ユニット２１の上面に形成されている係合孔２１ｂや、係合孔２１ｂに係合しているダボ２２ｆは、上面カバー４１によって覆われるため、突起物（ダボ２２ｆなど）が外部に突出しないので安全であるとともに、品格を向上させることができる。
【０１０１】
また、背面ユニット２１、保持枠２３、前面ユニット２４が、板金などの導電材で構成されているため、撮像装置内に帯電した電気を接地することができる。このような構成により、接地のための特別な部品を追加することなく、電気的に接地させることができる。
【０１０２】
また、背面ユニット２１に突起２１ｃが形成されていることにより、背面ユニット２１と保持枠２３とを組み付ける際に、突起２１ｃが弾性片２３ｃを摺動することにより、両者の摺動部分の金属皮膜を容易に剥がすことができる。よって、背面ユニット２１と保持枠２３とを電気的に接続させることができ、容易に接地させることができる。
【０１０３】
また、背面ユニット２１と保持枠２３と前面ユニット２４とは、底面において、ネジ４６で共締めされる構成であるため、組み立て作業を容易にすることができるとともに、部品点数を低減させることができる。また、背面ユニット２１と保持枠２３と前面ユニット２４とを、電気的に接続させることができ、確実に接地させることができる。
【０１０４】
また、背面ユニット２１と保持枠２３とを組み付けた際に、押圧部２３ｅでカーソルキー８のリブ８ｇを押圧保持する構成としたため、カーソルキー８を保持する部品点数を少なくすることができる。また、カーソルキー８を確実に固定することができる。
【０１０５】
また、組立の際、ピン８ｘ及び８ｙと長孔９ｂ及び９ｃとを嵌合させ、係合孔８ｖ及び８ｗと突起９ｖ及び９ｗを係合させることにより、カーソルキー８とボタン９とを仮固定することができるので、組み立てを容易にすることができる。
【０１０６】
また、弾性材２２ｂに切り欠き部２２ｃを設けることにより、使用環境における気圧変化が生じても、当該空間内の気圧と外気圧とに気圧差を生じさせず、透明板２１ｄの変形を防止することができる。なお、本実施の形態では、切り欠き部２２ｃを設けたが、切り欠き部２２ｃを形成せず、弾性材２２ｂを通気性があるクッション材で構成することもできる。このような構成であっても、使用環境における気圧変化に伴う透明板２１ｄの変形を防止することができる。
【０１０７】
また、弾性材２２ｂに曲げ部２２ｇを形成し、表示パネル２２ｄの裏面側に及ぶまで貼着させたことにより、表示ユニット２２内へ埃などの異物が混入することを防止することができる。すなわち、表示ユニット２２を保持枠２３に装着した状態を、図１７に示す。表示ユニット２２に貼着されている弾性材２２ｂは、一部が外方に延びた曲げ部２２ｇが形成されている。曲げ部２２ｇは、図１７のＷで示す部位のように、表示ユニット２２の外形に沿って、裏面側まで折り曲げて貼着されている。図１８は、図１７のＷで示す部位の拡大斜視図であり、表示ユニット２２の裏面側から見た図である。このように構成することにより、表示ユニット２２内へ埃などの異物が混入するのを防止することができる。
【０１０８】
なお、本実施の形態では、撮像装置を一例に挙げて説明したが、少なくとも液晶表示パネルなどの表示素子を搭載した電子機器であればよい。例えば、デジタルスチルカメラなどの撮像装置の他、携帯電話機、ＰＤＡ（Personal Digital Asistance）、パームサイズのゲーム機などがある。
【０１０９】
〔付記１〕
本発明の電子機器は、表示素子を備えた電子機器であって、前記表示素子を保持し、前記表示素子の表示面の略面方向に弾性変形可能な弾性片を備えた保持枠と、前記保持枠を保持するとともに、前記表示素子を外部から目視可能に形成されている開口部を備えた第１のカバーとを備え、前記保持枠は、前記弾性片を弾性変形させ前記第１のカバーの内面に係合させて、前記第１のカバーに保持されているものである。
【０１１０】
この構成により、上記構成により、ネジなどの締結手段を用いずに保持枠を第１のカバーに保持する構成であるため、液晶パネルなどの表示素子を、第１のカバーに対して容易に脱着できる。したがって、組立工程を簡素化できるとともに、リペア作業を簡素化することができる。
【０１１１】
上記構成において、表示部７は表示素子の一例である。保持枠２３は保持枠の一例である。開口部２１ａは開口部の一例である。背面カバー４３は第１のカバーの一例である。
【０１１２】
〔付記２〕
本発明の電子機器は、表示素子を備えた電子機器であって、前記表示素子が収容される収納部と、前記収納部近傍に配された第１の弾性片と、前記収納部近傍で前記第１の弾性片に対向した位置に配されるとともに凹部を備えた第２の弾性片とを備えた保持枠と、前記表示素子の表示面を外部から目視可能なように形成された開口部と、前記第１の弾性片が挿入される係合孔と、前記第２の弾性片が保持される突起部とを備えた第１のカバーとを備え、前記表示素子を保持した前記保持枠と前記第１のカバーとは、前記第１の弾性片が前記係合孔に挿入されて係合され、前記凹部と前記突起部とが嵌合されて、組み付けられているものである。
【０１１３】
上記構成は、第１の弾性片を係合孔に係合させて位置決めし、第２の弾性片を第１のカバーに形成されている突起部に弾性変形を伴って係合させることにより、ネジなどの締結手段を用いずに保持枠を第１のカバーに保持する構成であるため、液晶パネルなどの表示素子を、第１のカバーに対して容易に脱着できる。したがって、組立工程を簡素化できるとともに、リペア作業を簡素化することができる。また、保持枠を第１のカバーに装着する時、保持枠と第１のカバーとは一部を位置決めして互いに係合させているため、位置合わせを容易に行うことができる。
【０１１４】
上記構成において、収納部２３ａは収納部の一例である、位置決め片２３ｂは第１の弾性片の一例である。凹部２３ｎは凹部の一例である。弾性片２３ｃは第２の弾性片の一例である。開口部２１ａは開口部の一例である。係合孔２１ｂは係合孔の一例である。突起部２１ｃは突起部の一例である。
【０１１５】
〔付記３〕
本発明の電子機器は、互いに係合されている前記係合孔と前記第１の弾性片とを覆う第３のカバーを、さらに備えた構成としてもよい。この構成により、突起物が外部に突出しないので安全であるとともに、品格を向上させることができる。
【０１１６】
上記構成において、上面カバー４１は第３のカバーの一例である。
【０１１７】
〔付記４〕
本発明の電子機器は、前記保持枠と前記第１のカバーとは導電性材料で構成され、前記係合孔と前記第１の弾性片とは電気的に接触している構成としてもよい。この構成により、撮像装置内に帯電した電気を接地することができるとともに、接地のための特別な部品を追加することなく、電気的に接地させることができる。
【０１１８】
〔付記５〕
本発明の電子機器は、前記係合孔に、前記第１の弾性片を位置決めする突起部が形成されている構成としてもよい。この構成により、第１のカバーと保持枠とを確実に位置決めすることができるとともに、第１のカバーと保持枠とを組み付ける際に、突起部が弾性片を摺動することにより、両者の摺動部分の金属皮膜を容易に剥がすことができる。よって、前面カバーと保持枠とを確実に電気的に接続させることができ、確実に接地させることができる。
【０１１９】
上記構成において、突起部２１ｆは突起部の一例である。
【０１２０】
〔付記６〕
本発明の電子機器は、前記第１のカバーに固定され、前記表示素子の裏面側を覆う第２のカバーをさらに備え、前記保持枠と前記第１のカバーと前記第２のカバーは、ネジで共締めされている構成としてもよい。この構成により、組み立て作業を容易にすることができるとともに、部品点数を低減させることができる。
【０１２１】
〔付記７〕
本発明の電子機器は、前記表示素子の表面側における表示有効エリアの周囲に配され、前記保持枠と前記第１のカバーとが組み付けられた時、前記表示素子と前記第１のカバーとに挟まれた位置に配されている弾性材を備え、前記弾性材は、前記表示有効エリアと外気とを連通させる切り欠き部が形成されている構成としてもよい。この構成により、使用環境における気圧変化が生じた場合、それに伴い表示有効エリアの空間内の気圧が変化し、透明板の変形を防止することができる。
【０１２２】
上記構成において、弾性材２２ｂは弾性材の一例である。
【０１２３】
〔付記８〕
本発明の電子機器は、前記弾性材は、少なくとも一部が前記表示素子の表面側から裏面側へ連続的に貼着されている構成としてもよい。この構成により、表示ユニット２２内へ埃などの異物が混入することを防止することができる。
【０１２４】
〔付記９〕
本発明の電子機器は、前記表示素子の表面側における表示有効エリアの周囲に配され、前記保持枠と前記第１のカバーとが組み付けられた時、前記表示素子と前記第１のカバーとに挟まれた位置に配されている弾性材を備え、前記弾性材は、通気性材料より構成してもよい。この構成により、弾性材に切り欠き部を形成しなくてもよいため、簡単な構成で、気圧変化による透明板の変形を防止することができる。
【０１２５】
〔付記１０〕
本発明の電子機器は、表示素子を備えた電子機器であって、前記表示素子を保持し、前記表示素子の表示面の略面方向に弾性変形可能な弾性片を備えた保持枠と、前記保持枠を保持するとともに、前記表示素子を外部から目視可能にする開口部を備えた第１のカバーと、前記第１のカバーに固定され、前記表示素子の裏面側を覆う第２のカバーと、前記第１のカバーの裏面に固定され、使用者によって操作される部位が前記第１のカバーの表面に露出するよう配されている操作部とを備え、前記操作部は、一部が、前記前面カバーの裏面と前記保持枠とで挟持されているものである。
【０１２６】
この構成により、保持枠を前面カバーの裏面に装着することで、操作部の一部を位置決めして保持することができるので、操作部を前面カバーに組み付ける際の組立性を向上させることができる。
【０１２７】
上記構成において、カーソルキー８、ボタン９、およびボタン１０は操作部の一例である。
【産業上の利用可能性】
【０１２８】
本発明の電子機器は、表示素子を備えた機器に有用である。
【図面の簡単な説明】
【０１２９】
【図１】実施の形態１の撮像装置の外観を示す斜視図
【図２】撮像装置の正面図
【図３】撮像装置の平面図
【図４】撮像装置の分解斜視図
【図５Ａ】表示ユニットの平面図
【図５Ｂ】表示ユニットの断面図
【図６】保持枠の平面図
【図７Ａ】保持枠の上面側の要部斜視図
【図７Ｂ】保持枠の要部断面図
【図８】保持枠の底面側の要部斜視図
【図９Ａ】背面ユニットの内部構成を示す正面図
【図９Ｂ】図９ＡにおけるＸ−Ｘ部の断面図
【図９Ｃ】図９Ａにおける矢印Ｂ方向から見た平面図
【図９Ｄ】図９Ａにおける矢印Ｃ方向から見た平面図
【図１０Ａ】カーソルキーの表面側の構成を示す平面図
【図１０Ｂ】カーソルキーの裏面側の構成を示す平面図
【図１１】セットキーの構成を示す平面図
【図１２】保持枠を背面ユニットに装着する動作を説明するための断面図
【図１３】保持枠を背面ユニットに装着する動作を説明するための断面図
【図１４】保持枠を背面ユニットに装着する動作を説明するための断面図
【図１５】保持枠及び表示ユニットが装着された背面ユニットの斜視図
【図１６】背面ユニットを前面ユニットに装着する動作を説明するための斜視図
【図１７】保持枠に保持された表示ユニットの構成を示す斜視図
【図１８】図１７におけるＷ部の要部斜視図
【符号の説明】
【０１３０】
７  表示部
８  カーソルキー
９  ボタン
１０  ボタン
２１  背面ユニット
２１ａ  開口部
２１ｂ  係合孔
２１ｃ  突起部
２１ｆ  突起部
２２  表示ユニット
２２ｂ  弾性材
２３  保持枠
２３ａ  収納部
２３ｂ  位置決め片（第１の弾性片）
２３ｃ  弾性片（第２の弾性片）
２３ｎ  凹部
２４  前面ユニット
２５  カメラユニット
２６  電気回路ユニット
２７  スイッチ
４１  上面カバー（第３のカバー）
４２  前面カバー（第２のカバー）
４３  背面カバー（第１のカバー）
４４  側面カバー
【図１】
0005201851.tif 000002
【図２】
0005201851.tif 000003
【図３】
0005201851.tif 000004
【図４】
0005201851.tif 000005
【図５Ａ】
0005201851.tif 000006
【図５Ｂ】
0005201851.tif 000007
【図６】
0005201851.tif 000008
【図７Ａ】
0005201851.tif 000009
【図７Ｂ】
0005201851.tif 000010
【図８】
0005201851.tif 000011
【図９Ａ】
0005201851.tif 000012
【図９Ｂ】
0005201851.tif 000013
【図９Ｃ】
0005201851.tif 000014
【図９Ｄ】
0005201851.tif 000015
【図１０Ａ】
0005201851.tif 000016
【図１０Ｂ】
0005201851.tif 000017
【図１１】
0005201851.tif 000018
【図１２】
0005201851.tif 000019
【図１３】
0005201851.tif 000020
【図１４】
0005201851.tif 000021
【図１５】
0005201851.tif 000022
【図１６】
0005201851.tif 000023
【図１７】
0005201851.tif 000024
【図１８】
0005201851.tif 000025